(57)【要約】【課題】利便性を向上させることができるミストサウナ装置を提供する。【解決手段】ミストサウナ装置は、外部機器としてのスマートフォンＳＰからモード情報を取得するための通信を行う通信部４８と、第１ミスト供給部及び第２ミスト供給部を制御する本体側制御部３０とを有する。制御部３０は、通信部４８を介して得られたモード情報に基づき、第１ミスト供給部及び第２ミスト供給部を制御し、利便性を向上させることができるミストサウナ装置。【選択図】図８
2017062101.tif 000002
【特許請求の範囲】
【請求項１】
ミストを浴室内に供給する第１ミスト供給部と、
前記第１ミスト供給部で供給されるミストよりも粒径が大きなミストを供給する第２ミスト供給部とを有するミストサウナ装置であって、
外部機器からモード情報を取得するための通信を行う通信部と、
前記第１ミスト供給部及び前記第２ミスト供給部を制御する制御部とを有し、
前記制御部は、前記通信部を介して得られたモード情報に基づき、第１ミスト供給部及び第２ミスト供給部を制御することを特徴とするミストサウナ装置。
【請求項２】
前記モード情報を記憶する記憶部を有することを特徴とする請求項１に記載のミストサウナ装置。
【請求項３】
前記モード情報は、前記第１ミスト供給部の駆動と前記第２ミスト供給部の駆動の組み合わせによって決定されるコースの変更を含むことを特徴とする請求項１又は２に記載のミストサウナ装置。
【請求項４】
前記モード情報は、前記第１ミスト供給部から供給されるミストの温度及び前記第２ミスト供給部から供給されるミストの温度の少なくとも一方の変更を含むことを特徴とする請求項１又は２に記載のミストサウナ装置。
【請求項５】
浴室の温度を計測する温度計測部を備え、
前記通信部は前記温度計測部によって計測された前記浴室の温度情報を前記外部機器に送信することを特徴とする請求項１〜４のいずれか一項に記載のミストサウナ装置。
【請求項６】
前記温度計測部は、噴霧部によるミスト噴霧領域を含まない位置で前記浴室の温度を計測することを特徴とする請求項５に記載のミストサウナ装置。
【請求項７】
前記通信部は、無線通信によって前記外部機器と通信可能に構成されることを特徴とする請求項１〜６のいずれか一項に記載のミストサウナ装置。
【請求項８】
前記モード情報は、前記第１ミスト供給部及び前記第２ミスト供給部の駆動の組み合わせで構成されるコース情報を含み、
前記制御部は、前記通信部を介して前記外部機器からの通信信号があると判定した場合であって、該通信信号の内容がコース追加の情報であると判定した場合、前記制御部に接続された前記記憶部に、新コースを記憶させることを特徴とする請求項１〜７のいずれか一項に記載のミストサウナ装置。
【請求項９】
前記制御部は、前記記憶部に記憶された前記新コースが選択された場合、前記コース情報とは異なる駆動を行うように前記第１ミスト供給部及び前記第２ミスト供給部を制御することを特徴とする請求項８に記載のミストサウナ装置。
【発明の詳細な説明】
【技術分野】
【０００１】
本発明は、ミストサウナ装置に関する。
【背景技術】
【０００２】
浴室の天井面等に設置されるミストサウナ装置では、粒径の異なる複数のミストを浴室内に供給するものが知られている（例えば、特許文献１参照）。
【０００３】
特許文献１のミストサウナ装置では、水又は温水を壁に衝突させることで破砕させてミストとして噴霧する第１ミスト供給部と、水又は温水をノズル（特許文献１ではスプラッシュノズル）からミストとして噴霧する第２ミスト供給部とを有している。これによって使用者に対して２種類のミストを供給することが可能となっている。
【先行技術文献】
【特許文献】
【０００４】
【特許文献１】特開２０１５−６２４４８号公報
【発明の概要】
【発明が解決しようとする課題】
【０００５】
ところで、上記のようなミストサウナ装置では、第１ミスト供給部から供給されるミストと第２ミスト供給部から供給されるミストとを交互に供給するコースや、第１ミスト供給部から供給されるミストの温度を変化させて供給するコースなどが出荷時点で設定することが考えられる。このような構成とすることで、使用者に対して所定のコースでミスト浴を提供することができる。しかしながら、使用者の好みのコースを設定したりすることができず利便性の面で改善の余地が残されている。
【０００６】
本発明は、上記課題を解決するためになされたものであって、その目的は、利便性の向上を図ることができるミストサウナ装置を提供することにある。
【課題を解決するための手段】
【０００７】
上記課題を解決するために、ミストサウナ装置は、ミストを浴室内に供給する第１ミスト供給部と、前記第１ミスト供給部で供給されるミストよりも粒径が大きなミストを供給する第２ミスト供給部とを有するミストサウナ装置であって、外部機器からモード情報を取得するための通信を行う通信部と、前記第１ミスト供給部及び前記第２ミスト供給部を制御する制御部とを有し、前記制御部は、前記通信部を介して得られたモード情報に基づき、第１ミスト供給部及び第２ミスト供給部を制御する。
【発明の効果】
【０００８】
本発明のミストサウナ装置によれば、利便性の向上を図ることができる。
【図面の簡単な説明】
【０００９】
【図１】一実施形態におけるミストサウナ装置を備えた浴室の斜視図である。
【図２】同上におけるミストサウナ装置の斜視図である。
【図３】同上におけるミストサウナ装置の本体部の斜視図である。
【図４】同上におけるミストサウナ装置の断面図である。
【図５】同上におけるミストサウナ装置の本体部の平面図である。
【図６】同上におけるミストサウナ装置のリモートコントローラの正面図である。
【図７】同上におけるミストサウナ装置の水回路について説明するための説明図である。
【図８】同上におけるミストサウナ装置のブロック図である。
【図９】ミストサウナ装置と通信を行う外部機器の画面の一例を説明するための説明図である。
【図１０】ミストサウナ装置と通信を行う外部機器の画面の一例を説明するための説明図である。
【図１１】同上におけるミストサウナ装置のモード情報追加について説明するためのフローチャートである。
【発明を実施するための形態】
【００１０】
以下、浴室暖房乾燥機の一実施形態を図面に従って説明する。
【００１１】
図１に示すように、本実施形態のミストサウナ装置１０は、本体部１１と、リモートコントローラ４２とを有する。
【００１２】
図１に示すように本体部１１は、浴室Ｂ内の天井面に設けられている。本体部１１には、温水器Ｃ（図７参照）から温水が循環往路管１２ａを介して供給されるとともに、循環復路管１２ｂを介して温水器Ｃ内に戻るようになっている。また、ミストサウナ装置１０には、給水管１２ｃを介して水（市水）が供給される。
【００１３】
図２及び図３に示すように、本体部１１は、四角箱状の本体ケース１２の下方にフロントパネル１３が取着されている。そして、本体部１１は、浴室Ｂ内にフロントパネル１３を露出させた状態で、本体ケース１２が浴室Ｂの天井裏に設置されている。
【００１４】
フロントパネル１３は、浴室Ｂ内の空気を吸い込む吸込口１３ａと、浴室Ｂ内にミストを送り出す送気口１３ｂとを有する。
【００１５】
図３、図４及び図７に示すように、前記本体ケース１２内には主に一次熱交換器１４、送風機１５、加湿ユニット１６、二次熱交換器１７、水熱交換器１８が収容されている。
【００１６】
図４に示すように、一次熱交換器１４は、本体ケース１２の吸込口１３ａの上方に設置され、前記温水器Ｃから供給される温水が循環する熱交換用コイル１９が上下方向に複数層に亘って往復方向に屈曲されて配設されている。
【００１７】
図３及び図４に示すように、送風機１５は、本体ケース１２に回転可能に支持された一対のファン２０間にファンモータ２１が配設され、そのファンモータ２１の動作に基づいてファン２０が回転される。そして、ファン２０の回転に基づいて浴室Ｂ内の空気が吸込口１３ａから吸い込まれ、その空気は一次熱交換器１４で温められた後、加湿ユニット１６に案内される。
【００１８】
図３及び図４に示すように、加湿ユニット１６は、本体ケース１２の中央部において、前記ファン２０から温風が供給される位置に配設され、破砕モータ２２、揚水管２３、遠心破砕円板２４ａ〜２４ｄ、破砕壁２５、貯水部２６等を備えている。
【００１９】
図４に示すように、破砕モータ２２は、本体ケース１２の上部に固定される。破砕モータ２２の出力軸２７は下方に延設されるとともに、出力軸２７の下端部には揚水管２３が取着されている。揚水管２３は上方に向かって直径が大きくなる逆円錐状の円筒であり、揚水管２３の上端部に取着される軸部を介して出力軸２７に固定されている。従って、揚水管２３は出力軸２７と一体に回転される。
【００２０】
図４に示すように、前記貯水部２６の底面は、出力軸２７を支持する位置が最も深くなる浅いすり鉢状に形成されている。また、前記揚水管２３の下端と貯水部２６の間には数ｍｍ程度の所要の隙間が確保されている。
【００２１】
図３及び図７に示すように、前記貯水部２６の側方位置には、定流量弁２８ａと、電磁弁２８ｂとで構成される給水部２９が配設され、給水部２９には前記給水管１２ｃから供給された水が水熱交換器１８を通して供給される。そして、後述する本体側制御部３０（図８参照）の動作により電磁弁２８ｂが開かれると、電磁弁２８ｂ及び定流量弁２８ａを介して水又は温水が貯水部２６に滴下される。
【００２２】
図３〜図５に示すように、前記揚水管２３の上部には４層の円板状の遠心破砕円板２４ａ〜２４ｄが水平方向となる状態で設けられている。最上層の遠心破砕円板２４ａは揚水管２３の上端部を水平方向に屈曲して形成され、その下方には同一形状の３枚の遠心破砕円板２４ｂ〜２４ｄが最上層の遠心破砕円板２４ａから取付具を介して吊下支持されている。
【００２３】
図４に示すように前記遠心破砕円板２４ａ〜２４ｄの間において、揚水管２３には揚水管２３の内外を連通させる四角形状の開口部３１が一定間隔毎に形成されている。
【００２４】
このような構成により、給水部２９から貯水部２６に水が供給され、貯水部２６に溜まった水の水面が揚水管２３の下端より上方に達している状態で前記破砕モータ２２の作動により揚水管２３が回転されると、貯水部２６に貯留されている水が遠心力により揚水管２３の内周面に沿って上方へ巻き上げられ、各開口部３１から各遠心破砕円板２４ａ〜２４ｄの上面を薄膜状となって案内された後、遠心破砕円板２４ａ〜２４ｄの周縁からその周囲に細かな水滴となって飛散される。
【００２５】
図３〜図５に示すように、前記揚水管２３に対し前記ファン２０の反対側には前記破砕壁２５が形成されている。破砕壁２５は遠心破砕円板２４ａ〜２４ｄを取り囲むように湾曲する衝立状に形成されるとともに、多数の破砕枠３２が上下方向に設けられて各破砕枠３２間が開口されている。そして、前記遠心破砕円板２４ａ〜２４ｄから飛散される細かな水滴が破砕壁２５及び破砕枠３２に衝突してさらに細かい水粒に破砕され、ファン２０から送風される温風により気化される。
【００２６】
図３及び図５に示すように、揚水管２３とファンモータ２１との間には仕切り壁３３が設けられ、遠心破砕円板２４ａ〜２４ｄから飛散される水滴によるファンモータ２１の濡れを防止している。仕切り壁３３に付着した水滴は、貯水部２６に落下する。また、前記破砕壁２５に付着した水粒も貯水部２６に落下する。
【００２７】
前記破砕壁２５に対し、前記揚水管２３の反対側にはエリミネータ３４及び前記二次熱交換器１７が配設される。エリミネータ３４では破砕壁２５を通過した温風に含まれる水粒が除去され、水蒸気を含む高湿の空気が二次熱交換器１７に案内される。エリミネータ３４で除去された水粒は、貯水部２６に落下する。
【００２８】
二次熱交換器１７は、本体ケース１２の送気口１３ｂの上方に設置され、前記温水器Ｃから供給される温水が循環する熱交換用コイルが往復方向に屈曲されて配設されている。そして、気化熱を奪われて温度が低下した温風が二次熱交換器１７で再加熱されて、前記送気口１３ｂに案内される。
【００２９】
図２に示すように本実施形態のミストサウナ装置１０の本体部１１は、送気口１３ｂにミストノズル３５が設けられてミストが供給可能となっている。ちなみに、ミストノズル３５から供給されるミストは、破砕壁２５によって破砕して生成した高湿の空気（ミスト）よりも粒径の大きなミストである。
【００３０】
次に、本実施形態のミストサウナ装置１０の水回路（水の流れ）について説明する。
【００３１】
図７に示すように、温水器Ｃと接続される循環往路管１２ａは、ミストサウナ装置１０内で二股に分かれ、その一方が水熱交換器１８と接続され、その他方が一次熱交換器１４と接続される。なお、一次熱交換器１４と温水器Ｃとの間においては、一次熱交換器１４の温度を計測するためのコイル温度センサ３６が一次熱交換器１４と接続される循環往路管１２ａに接触している。コイル温度センサ３６は、本体側制御部３０と電気的に接続される。
【００３２】
水熱交換器１８は、水が給水される給水管１２ｃと、温水器Ｃと接続される循環往路管１２ａと、加湿ユニット１６側と接続される第１接続管３７と、二次熱交換器１７と接続される第２接続管３８と接続されている。
【００３３】
給水部２９と接続される第１接続管３７は、二股に分かれてその一方が給水部２９側の電磁弁２８ｂと接続され、その他方がミストノズル３５側の電磁弁３９と接続される。これにより、前記給水管１２ｃ側からの水を前記給水部２９やミストノズル３５側に通水可能となり、給水部２９やミストノズル３５に水又は熱交換によって暖められた温水を供給可能となる。
【００３４】
また、二次熱交換器１７と接続される第２接続管３８は、温水器Ｃの温水を二次熱交換器１７に供給可能となっている。ちなみに、二次熱交換器１７は、第３接続管４０を介して温水器Ｃの循環復路管１２ｂと接続される。このため、二次熱交換器１７は、温水器Ｃに温水（水）を戻すことが可能となっている。なお、二次熱交換器１７側の第３接続管４０には流量制御弁４１が介在される。このため、流量制御弁４１により、二次熱交換器１７内を通過する水（温水）の流量が調整可能となっている。
【００３５】
以上の構成並びに水回路からわかるように、一次熱交換器１４、水熱交換器１８、電磁弁２８ｂ、定流量弁２８ａ、二次熱交換器１７、破砕モータ２２、揚水管２３及び破砕壁２５を有して第１ミスト供給部が構成される。また、水熱交換器１８、電磁弁３９及びミストノズル３５を有して第２ミスト供給部が構成される。
【００３６】
図１に示すように、ミストサウナ装置１０のリモートコントローラ４２は、浴室Ｂ内に設けられる浴室内リモートコントローラ４２ａ（以下、浴室内リモコン４２ａという）と、例えば脱衣室などの浴室Ｂ外に設けられる浴室外リモートコントローラ４２ｂ（以下、浴室外リモコン４２ｂという）とを有する。
【００３７】
浴室内リモコン４２ａ及び浴室外リモコン４２ｂは、ミストサウナ装置１０の運転方法や運転温度、運転時間などを使用者がボタン操作で選択・実行することが可能となっている。ここで、浴室内リモコン４２ａを例として説明する。
【００３８】
図６に示すように、浴室内リモコン４２ａは、各種の動作選択スイッチ４３と、液晶表示部４４とを有する。
【００３９】
動作選択スイッチ４３ａ〜４３ｆは、スプラッシュ動作スイッチ４３ａと、マイクロ動作スイッチ４３ｂと、ソフト動作スイッチ４３ｃと、水ミストスイッチ４３ｄと、コース選択スイッチ４３ｅと、停止スイッチ４３ｆとを含む。
【００４０】
スプラッシュ動作スイッチ４３ａは、ミストサウナ装置１０をスプラッシュミスト動作させるためのものである。ちなみに、スプラッシュミスト動作は、ミストノズル３５から温かいミストを噴霧させる動作である。
【００４１】
マイクロ動作スイッチ４３ｂは、ミストサウナ装置１０をマイクロミスト動作させるためのものである。ちなみに、マイクロミスト動作は破砕壁２５によって破砕して生成した高温高湿の空気（ミスト）を供給する動作であり、スプラッシュミスト動作で供給されるミストよりも粒径が小さいミストが供給される。
【００４２】
ソフト動作スイッチ４３ｃは、ミストサウナ装置１０をマイクロミストソフト動作させるためのものである。ちなみに、マイクロミストソフト動作は破砕壁２５によって破砕して生成した高湿の空気（ミスト）を供給する動作であり、マイクロミスト動作で供給されるミストよりも温度が低いミストが供給される。
【００４３】
水ミストスイッチ４３ｄは、ミストサウナ装置１０を水ミスト動作させるためのものである。ちなみに、水ミスト動作はミストノズル３５からミストを噴霧させる動作であり、スプラッシュミスト動作で供給されるミストよりも温度が低いミストが供給される。
【００４４】
コース選択スイッチ４３ｅは、温冷スプラッシュコースと、温冷マイクロコースと、温冷フルコースと、追加コースとから選択するためのものである。なお、追加コースについては、浴室内リモコン４２ａのメモリ４９に対して使用者がミストサウナ装置１０設置後に追加することで選択が可能となる。ちなみに、温冷スプラッシュコースは、スプラッシュミスト動作と水ミスト動作とを所定期間毎に交互に繰り返し動作を行う。また、温冷マイクロコースは、水ミスト動作とマイクロミスト動作とを所定期間毎に交互に繰り返し動作を行う。温冷フルコースは、スプラッシュミスト動作、マイクロミスト動作、マイクロミストソフト動作、及び水ミスト動作とを所定期間毎に切り替えて繰り返し動作を行う。
【００４５】
停止スイッチ４３ｆは、ミストサウナ装置１０を停止させるためのものである。
【００４６】
次に、本実施形態のミストサウナ装置１０の電気的構成（電気的接続）を説明する。
【００４７】
ミストサウナ装置１０の本体部１１の本体側制御部３０には、ファンモータ２１、破砕モータ２２、定流量弁２８ａ、電磁弁２８ｂ、電磁弁３９、流量制御弁４１、及び吸込温度センサ４５が電気的に接続される。ここで、吸込温度センサ４５は、図４に示すように、吸込口１３ａの近傍に設けられて浴室Ｂ内の空気を計測して浴室Ｂの温度計測を行うものである。
【００４８】
また、本体側制御部３０には、浴室内リモコン４２ａ及び浴室外リモコン４２ｂの制御部４６（図８では浴室内リモコン４２ａの制御部４６のみ図示）が接続され、相互に各種信号の送受信が可能となっている。
【００４９】
浴室内リモコン４２ａの制御部４６には、通信部４８及びメモリ４９が接続される。通信部４８は、外部機器としてのスマートフォンＳＰの通信部ＳＰ１と例えば赤外線通信、Ｂｌｕｔｏｏｔｈ（登録商標）などの近距離無線通信を利用して無線通信が可能となっている。メモリ４９は、例えばスマートフォンＳＰとの間で通信を行った際に受信したモード情報を蓄積可能となっている。ここで、モード情報とは、前述した各種動作の組み合わせで構成されるコース情報と、各種動作の温度などの設定変更の情報を含む。
【００５０】
ここで、例えばスマートフォンＳＰを利用して例えばコース情報並びに動作の設定変更が可能なアプリケーションソフトウェアをスマートフォンＳＰのメモリＳＰ２内にダウンロード及びインストールした状態で、そのソフトウェアを利用して使用者がスマートフォンＳＰの操作表示部ＳＰ３を用いて各種の操作を行う。すると、スマートフォンＳＰの制御部ＳＰ４はその操作に基づいた各種処理を行う。このとき、例えば、図９に示すようにアプリケーションソフトウェアでは予めミストサウナ装置１０の型番などから追加が可能な範囲でコース情報が提供され、使用者はその範囲で追加するコース情報を操作表示部ＳＰ３を用いて選択する。すると、それらの情報がスマートフォンＳＰの通信部ＳＰ１を介して浴室内リモコン４２ａの通信部４８に送信される。また、図１０に示すようにアプリケーションソフトウェアでは予めミストサウナ装置１０の型番などから設定変更が可能な範囲で各動作（図１０ではマイクロミスト動作）の温度を変更可能とされ、使用者は操作表示部ＳＰ３を用いて温度を変更する。すると、それらの情報がスマートフォンＳＰの通信部ＳＰ１を介して浴室内リモコン４２ａの通信部４に送信される。
【００５１】
上記のように構成されたミストサウナ装置１０の作用を説明する。
【００５２】
本実施形態のミストサウナ装置１０では、例えば浴室内リモコン４２ａの動作選択スイッチ４３ａ〜４３ｆの操作に基づいて制御部４６が本体部１１の本体側制御部３０に対して操作信号を出力する。そして、本体側制御部３０では、その操作信号に基づいて各部の制御を実施してミストサウナ装置１０（本体部１１）を駆動させる。
【００５３】
ここで、浴室内リモコン４２ａでは、通信部４８を用いてスマートフォンＳＰなどの外部機器からモード情報を通信することが可能となっている。
【００５４】
制御部４６は、図１１に示すように、通信部４８を介してスマートフォンＳＰなどの外部機器からの通信信号の有無を判定する（ステップＳ１０）。そして、通信信号がある場合（ステップＳ１０：ＹＥＳ）、制御部４６は、その通信信号の内容がコース追加の情報であるか否かを判定する（ステップＳ１１）。通信信号の内容がコース追加の情報である場合（ステップＳ１１：ＹＥＳ）、制御部４６は、メモリ４９内に得られたコース追加の情報を記憶させる。なお、制御部４６は、例えば既にコース情報がメモリ４９内に追加されている場合には、必要時に応じて新しいコース情報を上書きするなどしてメモリ４９の記憶領域の節約を行うことも可能である。
【００５５】
一方、通信信号の内容がコース追加の情報でない場合（ステップＳ１１：ＮＯ）、制御部４６は、各動作の温度などの設定の変更であるか否かを判定する（ステップＳ１３）。通信信号の内容が各動作の設定の変更である場合（ステップＳ１３：ＹＥＳ）、予めメモリ４９に記憶された各動作の設定情報にアクセスし、該当の動作の設定情報を変更する。
【００５６】
次に、本実施形態の効果を記載する。
【００５７】
（１）外部機器からモード情報を取得するための通信を行う通信部４８と、前記第１ミスト供給部及び前記第２ミスト供給部を制御する本体側制御部３０とを有する。本体側制御部３０は、前記通信部４８を介して得られたモード情報に基づき、第１ミスト供給部及び第２ミスト供給部を制御するため、出荷段階で予め決められたコース以外に付加機能を追加することができるため、利便性を向上させることができる。
【００５８】
（２）モード情報を記憶するメモリ４９を有するため、モード情報を記憶させることができる。
【００５９】
（３）モード情報は、前記第１ミスト供給部の駆動と前記第２ミスト供給部の駆動の組み合わせによって決定されるコースの変更を含むため、コースの変更を行うことができる。
【００６０】
（４）モード情報は、前記第１ミスト供給部から供給されるミストの温度及び前記第２ミスト供給部から供給されるミストの温度の少なくとも一方の変更を含むため、ミストの温度変更を行うことができる。
【００６１】
（５）通信部４８は、無線通信によってスマートフォンＳＰと通信可能に構成されるため、接続コネクタなどを設けることがないため、浴室内リモコン４２ａの防水性を維持することができる。
【００６２】
なお、上記実施形態は、以下のように変更してもよい。
【００６３】
・上記実施形態では具体的に言及していないが、通信部４８を介して吸込温度センサ４５で検出される温度情報を外部機器（スマートフォンＳＰ）に送信する構成を採用してもよい。このような構成とすることで、使用者に対して現在の浴室Ｂの温度を提示することができる。
【００６４】
また、温度計測部として吸込温度を検出する吸込温度センサ４５を採用したが、浴室Ｂ全体をたとえばサーモグラフィで計測し、それで得られた画像情報を外部機器（スマートフォンＳＰ）に送信する構成を採用してもよい。このような構成とすることで、浴室Ｂ全体の温度を画像によって使用者に報知することができる。ちなみに、浴室Ｂ全体をサーモグラフィで計測する場合であって本体部１１に設ける場合には、ミスト噴霧領域を含まない位置で前記浴室Ｂの温度を計測することが好ましい。つまり、ミスト噴霧の風向きを考慮した位置にサーモグラフィを設けることが好ましい。
【００６５】
・上記実施形態では外部機器としてスマートフォンＳＰを採用したが、これに限らない。タブレット端末やノート型パーソナルコンピュータなどの携帯端末などを採用してもよい。また、外部機器としてＳＤカード（登録商標）などの外部メモリカードを採用してもよい。この場合の一例としては、外部メモリカードを例えばインターネット接続が可能な通信端末（スマートフォンやパーソナルコンピュータなど）を介してコース情報を含むモード情報のデータファイルをダウンロードする。そして、ダウンロードしたデータファイルが記憶された外部メモリカードを例えばミストサウナ装置１０の浴室内リモコン４２ａや浴室外リモコン４２ｂなどに搭載されたカード読み取り用のスロットに挿入した状態で、リモコン４２ａ，４２ｂ内の制御部４６が通信部４８を介してデータを取り出してメモリ４９に記憶させる。これにより、メモリ４９内に記憶された新たなモード情報に基づいて本体側制御部３０が各部の制御を行うことができる。
【００６６】
・上記実施形態では、浴室内リモコン４２ａに通信部４８を設ける構成としたが、本体部１１、脱衣室リモコン４２ｂに通信部を設けてもよい。
【００６７】
・無線通信の種類は赤外線通信、Ｂｌｕｔｏｏｔｈ（登録商標）などの近距離無線通信以外であってもよい。
【００６８】
・上記実施形態では、無線通信によって外部機器と通信を行う構成としたが、有線通信によって外部機器と通信を行う構成を採用してもよい。この場合、有線によって例えば外部機器と浴室内リモコン４２ａとを接続する場合、有線によって接続するコネクタ部位等では防滴（防水）構造を採用することが好ましい。
【００６９】
・上記実施形態並びに各変形例は適宜組み合わせてもよい。
【００７０】
次に、上記実施形態及び別例から把握できる技術的思想を以下に付記として追記する。
【００７１】
（付記１）ミストを浴室内に供給する第１ミスト供給部と、前記第１ミスト供給部で供給されるミストよりも粒径が大きなミストを第２ミスト供給部とを有するミストサウナ装置であって、
外部機器からモード情報を取得するための通信を行う通信部と、
前記第１ミスト供給部及び前記第２ミスト供給部を制御する制御部とを有し、
前記制御部は、前記通信部を介して得られたモード情報に基づき、第１ミスト供給部及び第２ミスト供給部を制御することを特徴とするミストサウナ装置。
【００７２】
（付記２）前記モード情報を記憶する記憶部を有することを特徴とする付記１に記載のミストサウナ装置。
【００７３】
（付記３）前記モード情報は、前記第１ミスト供給部の駆動と前記第２ミスト供給部の駆動の組み合わせによって決定されるコースの変更を含むことを特徴とする付記１又は２に記載のミストサウナ装置。
【００７４】
（付記４）前記モード情報は、前記第１ミスト供給部から供給されるミストの温度及び前記第２ミスト供給部から供給されるミストの温度の少なくとも一方の変更を含むことを特徴とする付記１又は２に記載のミストサウナ装置。
【００７５】
（付記５）浴室の温度を計測する温度計測部を備え、
前記通信部は前記温度計測部によって計測された前記浴室の温度情報を前記外部機器に送信することを特徴とする付記１〜４のいずれか一項に記載のミストサウナ装置。
【００７６】
（付記６）前記温度計測部は、噴霧部によるミスト噴霧領域を含まない位置で前記浴室の温度を計測することを特徴とする付記５に記載のミストサウナ装置。
【００７７】
（付記７）前記通信部は、無線通信によって前記外部機器と通信可能に構成されることを特徴とする付記１〜６のいずれか一項に記載のミストサウナ装置。
【００７８】
（付記８）前記モード情報は、前記第１ミスト供給部及び前記第２ミスト供給部の駆動の組み合わせで構成されるコース情報を含み、前記制御部は、前記通信部を介して前記外部機器からの通信信号があると判定した場合であって、該通信信号の内容がコース追加の情報であると判定した場合、前記制御部に接続された前記記憶部に、新コースを記憶させることを特徴とする付記１〜７のいずれか一項に記載のミストサウナ装置。
【００７９】
（付記９）前記制御部は、前記記憶部に記憶された前記新コースが選択された場合、前記コース情報とは異なる駆動を行うように前記第１ミスト供給部及び前記第２ミスト供給部を制御することを特徴とする付記８に記載のミストサウナ装置。
【産業上の利用可能性】
【００８０】
以上のように、本発明にかかるミストサウナ装置は、コース情報の追加や温度情報の変更などにより利便性向上に有用である。
【符号の説明】
【００８１】
１０    ミストサウナ装置
１４    一次熱交換器
１７    二次熱交換器
１８    水熱交換器
２２    破砕モータ
２３    揚水管
２５    破砕壁
２８ａ    定流量弁
２８ｂ    電磁弁
３０    本体側制御部
３５    ミストノズル
３９    電磁弁
４５    吸込温度センサ
ＳＰ    スマートフォン
【図２】
2017062101.tif 000003
【図８】
2017062101.tif 000004
【図１】
2017062101.tif 000005
【図３】
2017062101.tif 000006
【図４】
2017062101.tif 000007
【図５】
2017062101.tif 000008
【図６】
2017062101.tif 000009
【図７】
2017062101.tif 000010
【図９】
2017062101.tif 000011
【図１０】
2017062101.tif 000012
【図１１】
2017062101.tif 000013